(57)【要約】【課題】復元能力が高いバネ付き座金の提供。【解決手段】挿通孔４を有する座金２の一面側であって、挿通孔４に中心を合わせてスプリングワッシャー３を取り付けてある。スプリングワッシャー３は内径が挿通孔４と等しいか大きく、スプリングワッシャー３を構成する線材の断面をスプリングワッシャー３の半径方向寸法ｄに対して軸方向寸法ｔの方を大きくする。【選択図】図５
0003137382.tif 000002
【実用新案登録請求の範囲】
【請求項１】
挿通孔を有する座金の一面側であって、挿通孔に中心を合わせて一巻きコイルスプリングであるスプリングワッシャーを取り付けてあり、スプリングワッシャーは内径が挿通孔と等しいか大きく、スプリングワッシャーを構成する線材の断面がスプリングワッシャーの半径方向寸法ｄに対して軸方向寸法ｔが大きいことを特徴としたばね付き座金。
【請求項２】
スプリングワッシャーのピッチｐは線材の断面におけるスプリングワッシャーの軸方向寸法ｔより大きくほぼ等しいことを特徴とした請求項１に記載のバネ付き座金。
【請求項３】
座金における挿通孔の内周壁の一部を裏側から表面側へ摺り上げて爪を形成し、この爪によりスプリングワッシャーが座金の表面に係止されていることを特徴とした請求項１又は２に記載のバネ付き座金。
【考案の詳細な説明】
【技術分野】
【０００１】
この考案は、緩み止めのバネを一体に有したバネ付き座金に関する。
【背景技術】
【０００２】
バネ付き座金（例えば図１のバネ付き座金１）は、角座金２あるいは丸座金にいわゆるスプリングワッシャー３（ＪＩＳ規格のＪＩＳ  Ｂ  １２５１におけるばね座金の一般用(２号)あるいは同重荷重用（３号））に相当するものをバネとして取り付けたものである。スプリングワッシャー３は図２のように、一巻きコイルスプリングである。
【０００３】
このようなバネ付き座金１は、２部材をボルトとナットで締め付けて締結する結合構造に用いられる。この場合、座金２は部材に対する締め付け力を分散させるためであり、スプリングワッシャー３は部材の経年変形や振動などによるナットあるいはボルトの緩みを防止するために機能する。例えば、木造軸組工法住宅では、土台と基礎をアンカーボルトとナットで固定する場合に、ナットと土台上面との間に配置され、座金によってナットが土台に食い込むのを防止し、土台が乾燥によって縮小するようなことがあっても、スプリングワッシャー３の弾発によってナットによる固定状態を維持する。
【０００４】
従来技術についてみると、バネ付き座金１そのものに関する特許文献は、構造が簡単で発明の余地が少ないせいかほとんど見出せない。しかし、実際の施工面、特に木造住宅の建築などでは欠くことのできない金物となっている。このためバネ付き座金は、建築金物を製造、販売する企業の製品カタログなどに掲載されているので、これを先行技術を示す文献相当のものとして例示する。
【０００５】
【非特許文献１】株式会社カナイのデジタルカタログＮｏ０７０７  Ｐ１２７  接合金物  バネ付角座金、バネ付丸座金  インターネット（ＵＲＬ；http://www.kana-e.co.jp/dijicata/technical.html）（2007.9.5  現在）
【非特許文献２】株式会社タナカ  「座金」ページ  インターネット（ＵＲＬ；http://www.tanakakanamono.com/contents/product/zagane/zaganect.html）（2007.9.5  現在）
【考案の開示】
【考案が解決しようとする課題】
【０００６】
従来のバネ付き座金１は、通常の座金２に通常のスプリングワッシャー３を組み合わせたもので、バネ付き座金１としての木やせ対応能力は、スプリングワッシャーの全圧縮状態からその後の自由高さとなるまでの復元能力であり、その量は、全圧縮状態時の高さの２／３と考えることができる。ＪＩＳ  Ｂ  １２５１の付属書付表１，２に記載されるスプリングワッシャーの場合、復元能力は、呼び１２の一巻きコイルスプリングの場合で２〜２．４ｍｍ程度である。  
しかし、木やせや振動による締結箇所の緩みの程度はさまざまであり、バネ付き座金１の復元能力には少しでも余裕のある方が好ましい。  
この考案は、復元能力がより高いバネ付き座金の提供を課題とする。
【課題を解決するための手段】
【０００７】
従来のバネ付き座金のスプリングワッシャー３は、コイルを構成する線材の断面が円形かＪＩＳ  Ｂ  １２５１の付表１，２に掲載されているような台形または矩形である。そして、台形または矩形の場合には、断面の幅ｄ（一巻きコイルスプリングの半径方向の寸法）に対して高さｔ（一巻きコイルスプリングの軸方向の寸法）が小さく、圧縮方向で扁平な断面形状である。
【０００８】
ここで、図３のように、ｄ＝２ｔとすると、この扁平な断面形状の場合、スプリングワッシャー３の無負荷時の自由高さはほぼ２ｔ＝ｄであるが、図４のように、扁平断面を９０°回転して縦長断面にすると、幅と高さは入れ替わり、前記の自由高さは２ｄとなる。そのためこれらスプリングの復元量はコイルの材質的なへたりを見込んで、扁平断面の場合、ほぼ（ｄ−ｔ）×２／３、縦長断面の場合２／３ｄとなり、縦長断面のほうが２／３ｔだけ多くなる。
【０００９】
しかも、スプリングワッシャーは、その材質とコイル径及びスプリング長さが同じであれば、スプリングの線材断面において前記縦長断面の方が円形断面のものよりもバネ定数がおおきくなる。高さｔを幅ｄよりも大きくすると断面係数がおおきくなることによると考えられる。（参考：特開２００５−６３５２８号公報、同２００５−３５１９５号公報）。
【００１０】
そこで、この考案は、挿通孔を有する座金２に取り付けるスプリングワッシャー３を、線材の断面がスプリングワッシャー３の半径方向寸法ｄに対して軸方向寸法ｔが大きいものにする。  
スプリングワッシャー３のピッチは通常、線材の断面における軸方向寸法ｔにほぼ等しくするが、それより大きくてもよい。  
座金２に対するスプリングワッシャー３の取り付けは、溶接や接着その他の手段が考えられるが、座金２における挿通孔の内周壁の一部を裏側から表面側へ摺り上げて爪を形成し、この爪により係止するのがもっとも好ましい。
【考案の効果】
【００１１】
スプリングワッシャー３を、線材の断面がスプリングワッシャー３の半径方向寸法ｄに対して軸方向寸法ｔが大きいものにしたので、バネ付き座金１のバネ復元量が大きくなり、復元能力に余裕ができる。
【考案を実施するための最良の形態】
【００１２】
図５（イ）はこの考案によるバネ付き座金１を示し、この実施例では、角座金２とスプリングワッシャー３とからなる。角座金２は、鋼製で一辺４０ｍｍの正方形で中央に直径１６ｍｍの挿通孔４を有している。スプリングワッシャー３は外形２０ｍｍ、内径１６ｍｍの一巻きコイルスプリングであり、線材は硬鋼材でその断面はコイルの軸方向が５ｍｍ（ｔ＝５）、半径方向が３ｍｍ（ｄ＝３）で図５（ロ）のように縦長の断面となっている。一巻きコイルスプリングのピッチｐは線材の断面における軸方向寸法（＝ｔ）と等しいかわずかに大きな程度である。
【００１３】
スプリングワッシャー３は、角座金２の挿通孔４をプレス加工する際に挿通孔４の内壁の一部を裏側から表面側へ摺り上げて図５のように複数の摺り出し爪５を形成しておき、これらで、スプリングワッシャー３を内周側から係止して、座金２に止め付ける（図６）。  
このスプリングワッシャー３の全圧縮時の高さは５ｍｍ、自由高さは１０ｍｍであり、全圧縮状態からの復元量はほぼ３．３ｍｍである。この量は、従来のように、スプリングワッシャー３の線材断面を横長として利用したときの２．０ｍｍよりも大きい。バネ付き座金１としては、その大きい分だけ長く緩み止めとしての機能を発揮する。また、線材断面を横長として利用したときよりもバネ定数が大きく、その分だけ緩みを阻止する機能が高い。
【００１４】
以上は実施例であり、角座金２は丸座金のこともある。スプリングワッシャー３の線材断面は、長径を一巻きコイルスプリングの軸方向とし短径を同スプリングの半径方向とした楕円形断面とすることもある。角座金２に対するスプリングワッシャー３の取り付けは接着や溶接によることもできる。バネ付き座金１の用途からすると座金２に対してスプリングワッシャー３は、使用時に搬送時や使用時に一体となっておればよく、両者を強固に固定する必要はない。
座金の寸法、スプリングワッシャーの寸法、及び挿通孔の寸法は用途に応じて定められる。
【図面の簡単な説明】
【００１５】
【図１】従来のバネ付き座金を示した斜視図。
【図２】スプリングワッシャー（一巻きコイルスプリング）の側面図。
【図３】従来のスプリングワッシャーの断面とピッチを説明するための図。
【図４】この考案におけるスプリングワッシャーの断面とピッチを説明するための図。
【図５】（イ）は、この考案によるバネ付き座金を分解して示した斜視図、（ロ）は、その線材の断面とピッチを説明するための図。
【図６】この考案によるバネ付き座金の平面図。
【符号の説明】
【００１６】
１  バネ付き座金
２  座金
３  スプリングワッシャー
４  挿通孔
５  摺り出し爪
【図１】
0003137382.tif 000003
【図２】
0003137382.tif 000004
【図３】
0003137382.tif 000005
【図４】
0003137382.tif 000006
【図５】
0003137382.tif 000007
【図６】
0003137382.tif 000008